(57)【要約】【課題】ケース板の上側の係止状態が外れた場合にケース板の落下を防止する。【解決手段】上下端部を係止させることで取り付けられる丸ケースの下端の係止構造であって、丸ケース板７の下側係止部（先端部位７２０、下側折曲辺７４）は、丸ケースの上端が係止状態にある時には、下側被係止部（下側ケース止め材６、追加下側ケース止め要素８）に対して第１の姿勢で第１の係止位置にあり、前記下側係止部は、丸ケースの上端の係止状態が外れた時の当該丸ケースの挙動に応じて前記第１の姿勢から第２の姿勢に移動し、当該下側係止部が前記下側被係止部から外れることを規制するように前記下側被係止部に３点（Ｐ１、Ｐ２、Ｐ３）で当接する第２の係止位置をとる。【選択図】図１０
2018053615.tif 000002
【特許請求の範囲】
【請求項１】
上下端部を係止させることで取り付けられる丸ケースの下端の係止構造であって、
丸ケース板の下側係止部は、丸ケースの上端が係止状態にある時には、下側被係止部に対して第１の姿勢で第１の係止位置にあり、
前記下側係止部は、丸ケースの上端の係止状態が外れた時の当該丸ケースの挙動に応じて前記第１の姿勢から第２の姿勢に移動し、当該下側係止部が前記下側被係止部から外れることを規制するように前記下側被係止部に３点で当接する第２の係止位置をとる、
丸ケースの下端の係止構造。
【請求項２】
前記丸ケースの下側係止部は、丸ケースの下側傾斜部の先端部位と下側折曲辺とからＬ形状を備えており、前記先端部位は、前記下側折曲辺に近い側の第１部位と前記下側折曲げ辺から遠い側の第２部位とを備え、前記下側折曲辺は、前記先端部位に近い側の第１部位と前記先端部位から遠い側の第２部位とを備え、
前記下側被係止部は、底部と、前記底部の第１側の上方に位置する上側被係止部と、前記底部の第２側の立ち上がり辺の上端の上側被当接部と、前記上側被係止部及び前記上側被当接部よりも下方に位置して前記立ち上がり辺から第１側に向かって突出する突出要素の先端の下側被当接部と、を有し、
前記第１の係止位置では、前記底部に前記下側折曲辺の先端が当接し、前記下側被当接部に前記下側折曲辺の第１部位が当接しており、
前記第２の係止位置では、前記底部から前記下側折曲辺の先端が離間し、前記下側被当接部に前記下側折曲辺の第２部位が当接し、前記上側被係止部に前記先端部位の第１部位の上面が当接し、前記上側被当接部に前記先端部位の第２部位の下面が当接している、
請求項１に記載の丸ケースの下端の係止構造。
【請求項３】
前記下側被係止部は、
底部と、前記底部の第１側の上方に位置する上側被係止部と、前記底部の第２側の立ち上がり辺と、を有し、前記上側被係止部と前記立ち上がり辺との間の開口から前記下側係止部を受け入れるようになっている第１部材と、
第２側から第１側に向かって延びる突出要素を備え、前記下側係止部を受け入れた前記第１部材に着脱可能に後付けされる第２部材と、からなり、
前記第１の係止位置では、前記第１部材の底部に前記下側折曲辺の先端が当接し、前記第２部材の突出要素の先端の下側被当接部に前記下側折曲辺の第１部位が当接しており、
前記第２の係止位置では、前記第１部材の底部から前記下側折曲辺の先端が離間し、前記第２部材の前記下側被当接部に前記下側折曲辺の第２部位が当接し、前記第１部材の前記上側被係止部に前記先端部位の第１部位の上面が当接し、前記先端部位の第２部位の下面には、前記第２部材に形成された立ち上がり辺の上端、あるいは、前記第１部材の前記立ち上がり辺の上端が当接する、
請求項２に記載の丸ケースの下端の係止構造。
【請求項４】
前記下側係止部は、前記第１部材の前記開口から受け入れられることで、前記第１部材に対してプレ係止位置にあり、前記プレ係止位置では、少なくとも前記下側折曲辺の先端が前記下側被係止部の底部に当接しており、
前記第１部材に前記第２部材を取り付けることで、前記突出要素の先端の下側被当接部に前記下側折曲辺の傾斜面が当接して第１側に押されることで、前記下側係止部は、前記プレ係止位置から前記第１の係止位置となる、
請求項３に記載の丸ケースの下端の係止構造。
【発明の詳細な説明】
【技術分野】
【０００１】
本発明は丸ケースの下端の係止構造に係り、詳しくは、丸ケースの上端の係止状態が外れた場合であっても、丸ケースの落下を防止することができる丸ケースの下端の係止構造に関するものである。
【背景技術】
【０００２】
重量シャッター等のシャッターケースとして、いわゆる丸ケースが知られている（特許文献１）。丸ケースは、金属製板材を断面視弧状に湾曲して形成されたケース板からなり、湾曲させたケース板の上端部、下端部を、躯体に設けた上側ケース止め材、まぐさ近傍等に設けた下側ケース止め材にそれぞれ係止させることで取り付けられる。丸ケースの上下端部を係止させる際に、ケース板を上端部と下端部を近づける方向に弾性変形させ、弾性変形されたケース板が拡開する弾性力によって係止状態が保持される。
【０００３】
しかしながら、丸ケースの弾性力を超える振動が地震等の影響で作用した場合、あるいは、何らかの理由（丸ケースの取付時の施工性向上のため意図せず塑性変形させてしまう等）で丸ケースの弾性力が弱くなっている場合（この場合、上端の係止状態が外れやすくなっている）には、丸ケースの上端部の係止状態が外れてしまうおそれがある。丸ケースの上端部の係止状態が外れると丸ケースが保持されずに落下してしまうおそれがある。このような丸ケースの落下は極めて起こり難いと考えられるが、万が一に備えておくことが望ましい。
【０００４】
丸ケースの上端部が上側ケース止め材から外れることを防止するには、丸ケースの上端部と上側ケース止め材との係止部を螺子（メンテナンス時の取り外しを考慮して）で固定することが考えられるが、特に丸ケースのサイズが大きい場合には、丸ケースの取付（係止）後に上側ケース止め材まで作業者が手を届かせて作業することは困難であり（多くの場合天井内での作業となる）、高所作業であることも相俟って危険である。
【０００５】
丸ケースの外側に受け部材を設置し、丸ケースの上端部が上側ケース止め材から外れても、丸ケースが受け部材に支持されることで、丸ケースの落下を防止することも考えられる。しかしながら、丸ケースの長手寸法は１０ｍを超えるものもあり、天井内の限られた空間（開閉機や他の周辺部品が存在する）において、丸ケースの落下を支持できる強度を備えた受け部材を設置することは困難である。また、天井外に受け部材を設置する場合には、外観を損ねてしまうことになる。
【特許文献１】特開２００８−２９７８１４
【発明の開示】
【発明が解決しようとする課題】
【０００６】
本発明は、ケース板の上側の係止状態が外れた場合にケース板の落下を防止することを目的とするものである。
【課題を解決するための手段】
【０００７】
本発明が採用した技術手段は、
上下端部を係止させることで取り付けられる丸ケースの下端の係止構造であって、
丸ケース板の下側係止部は、丸ケースの上端が係止状態にある時には、下側被係止部に対して第１の姿勢で第１の係止位置にあり、
前記下側係止部は、丸ケースの上端の係止状態が外れた時の当該丸ケースの挙動に応じて前記第１の姿勢から第２の姿勢に移動し、当該下側係止部が前記下側被係止部から外れることを規制するように前記下側被係止部に３点で当接する第２の係止位置をとる、
丸ケースの下端の係止構造、である。
【０００８】
１つの態様では、前記丸ケースの下側係止部は、丸ケースの下側傾斜部の先端部位と下側折曲辺とからＬ形状を備えており、前記先端部位は、前記下側折曲辺に近い側の第１部位と前記下側折曲げ辺から遠い側の第２部位とを備え、前記下側折曲辺は、前記先端部位に近い側の第１部位と前記先端部位から遠い側の第２部位とを備え、
前記下側被係止部は、底部と、前記底部の第１側の上方に位置する上側被係止部と、前記底部の第２側の立ち上がり辺の上端の上側被当接部と、前記上側被係止部及び前記上側被当接部よりも下方に位置して前記立ち上がり辺から第１側に向かって突出する突出要素の先端の下側被当接部と、を有し、
前記第１の係止位置では、前記底部に前記下側折曲辺の先端が当接し、前記下側被当接部に前記下側折曲辺の第１部位が当接しており、
前記第２の係止位置では、前記底部から前記下側折曲辺の先端が離間し、前記下側被当接部に前記下側折曲辺の第２部位が当接し、前記上側被係止部に前記先端部位の第１部位の上面が当接し、前記上側被当接部に前記先端部位の第２部位の下面が当接している。
１つの態様では、前記第１の係止位置において、前記先端部位の第２部位の下面が前記上側被当接部に当接している。
１つの態様では、前記第１の係止位置（第１の姿勢）及び前記第２の係止位置（第２の姿勢）において、前記先端部位及び前記下側折曲辺は傾斜姿勢にある。先端部位は、第２側から第１側に向かって下向きに傾斜しており、下側折曲辺は、第１側から第２側に向かって下向きに傾斜している。
【０００９】
１つの態様では、前記下側被係止部は、
底部と、前記底部の第１側の上方に位置する上側被係止部と、前記底部の第２側の立ち上がり辺と、を有し、前記上側被係止部と前記立ち上がり辺との間の開口から前記下側係止部を受け入れるようになっている第１部材と、
第２側から第１側に向かって延びる突出要素を備え、前記下側係止部を受け入れた前記第１部材に着脱可能に後付けされる第２部材と、からなり、
前記第１の係止位置では、前記第１部材の底部に前記下側折曲辺の先端が当接し、前記第２部材の突出要素の先端の下側被当接部に前記下側折曲辺の第１部位が当接しており、
前記第２の係止位置では、前記第１部材の底部から前記下側折曲辺の先端が離間し、前記第２部材の前記下側被当接部に前記下側折曲辺の第２部位が当接し、前記第１部材の前記上側被係止部に前記先端部位の第１部位の上面が当接し、前記先端部位の第２部位の下面には、前記第２部材に形成された立ち上がり辺の上端、あるいは、前記第１部材の前記立ち上がり辺の上端が当接する。
１つの態様では、前記第２部材は螺子によって第１部材に着脱可能に装着される。
１つの態様では、前記第２部材は螺子である。
１つの態様では、前記第２部材の立ち上がり辺の上端が前記上側被当接部を形成しており、
前記第２部材を前記第１部材に装着した状態において、前記第２部材の立ち上がり辺の上端の高さは、少なくとも、前記第１部材の前記上側被係止部の下面の高さよりも高い。前記突出要素は、前記第２部材の立ち上がり辺から第１側に向かって突出する。
１つの態様では、前記第１部材の立ち上がり辺の上端が前記上側被当接部を形成しており、前記第２部材は前記第１部材の立ち上がり辺に螺設される螺子であり、当該螺子の先端が前記下側被当接部となっている。前記突出要素は、前記第１部材の立ち上がり辺から第１側に向かって突出する螺子である。このものでは、第１部材に螺子を取り付けるだけでよいので、部品点数を削減することができ、施工性を向上させることができる。
【００１０】
１つの態様では、前記下側係止部は、前記第１部材の前記開口から受け入れられることで、前記第１部材に対してプレ係止位置にあり、前記プレ係止位置では、少なくとも前記下側折曲辺の先端が前記下側被係止部の底部に当接しており、
前記第１部材に前記第２部材を取り付けることで、前記突出要素の先端の下側被当接部に前記下側折曲辺の傾斜面が当接して第１側に押されることで、前記下側係止部は、前記プレ係止位置から前記第１の係止位置となる。
【発明の効果】
【００１１】
本発明では、丸ケースの下側係止部は、丸ケースの上端の係止状態が外れた時の当該丸ケースの挙動（変形・回転）に応じて先端が上方に移動することで、第１の姿勢から第２の姿勢に移動し、当該下側係止部が前記下側被係止部から外れることを規制するように前記下側被係止部に３点で当接する第２の係止位置をとることで、上側の係止状態が外れた丸ケースの落下を防止する。
【００１２】
第２の係止位置において、下側係止部の先端部位の第１部位の上面が前記上側被係止部に当接し、第２部位の下面が前記上側被当接部に当接することによって、丸ケースのさらなる変形・回転によって当該下側係止部がさらに上方に回転することが規制されて第２の姿勢が保持され、下側係止部の下側折曲辺が突出要素の先端の下側被当接部に当接することで、第２の係止位置にある下側係止部が抜け出すように第２側へ移動することが規制され、丸ケースの下側係止部の第２の係止位置が保持されることによって、上側の係止状態が外れた丸ケースの落下を防止することができる。
【００１３】
下側係止部を、第２部材を第１部材に装着する前の段階で第１部材に挿入することで、丸ケース挿入時の施工性は従来の手法と同じであり、第２部材は着脱可能に第１部材に装着されるので、点検、修理時の取り外しは容易である。また、第２部材は比較的小さい部材から構成することができるので、外観を損なうことがない。
【図面の簡単な説明】
【００１４】
【図１】シャッターケースを示す開口部上方部位の縦断面図であり、ケース板の下側係止部は下側被係止部に対して第１の係止位置にある。
【図２】シャッターケースの正面図である。
【図３】追加下側ケース止め要素の側面図である。
【図４】図３に示す追加下側ケース止め要素の平面図、正面図である。
【図５】シャッターケースを示す開口部上方部位の縦断面図であり、ケース板の下側係止部は下側ケース止め材に対してプレ係止位置にある。
【図６】ケース板の取付状態を示す図であり、ケース板の上側係止部は上側ケース止め材に係止しており、ケース板の下側係止部は下側ケース止め材に対してプレ係止位置にある。
【図７】ケース板の取付状態を示す図であり、ケース板の上側係止部は上側ケース止め材に係止しており、ケース板の下側係止部は下側被係止部に対して第１の係止位置にある。
【図８】図７の取付状態において、ケース板の上側係止部が上側ケース止め材から外れた時のケース板の振る舞い（変形・回転）を示し、ケース板の下側係止部は下側被係止部に対して第２の係止位置にある。
【図９】図７の部分拡大図であって、ケース板の下側係止部と下側被係止部との係止状態（第１の係止位置）を示す図である。
【図１０】図８の部分拡大図であって、ケース板の下側係止部と下側被係止部との係止状態（第２の係止位置）を示す図である。
【図１１】他の実施形態に係るシャッターケース（下側係止部は第１の係止位置にある）を示す開口部上方部位の縦断面図であり、ケース板の下側係止部は下側被係止部に対して第１の係止位置にある。
【図１２】他の実施形態に係るケース板の取付状態を示す図であり、ケース板の上側係止部は上側ケース止め材に係止しており、ケース板の下側係止部は下側ケース止め材に対してプレ係止位置にある。
【図１３】他の実施形態に係るケース板の取付状態を示す図であり、ケース板の上側係止部は上側ケース止め材に係止しており、ケース板の下側係止部は下側被係止部に対して第１の係止位置にある。
【図１４】図１３の取付状態において、ケース板の上側係止部が上側ケース止め材から外れた時のケース板の振る舞い（変形・回転）を示し、ケース板の下側係止部は下側被係止部に対して第２の係止位置にある。
【図１５】図１３の部分拡大図であって、ケース板の下側係止部と下側被係止部との係止状態（第１の係止位置）を示す図である。
【図１６】図１４の部分拡大図であって、ケース板の下側係止部と下側被係止部との係止状態（第２の係止位置）を示す図である。
【発明を実施するための形態】
【００１５】
図１は、建物開口部上方部位（本実施形態に係るシャッターケースを含む）の縦断面図であり、図２は、同正面図である。壁体Ｗには、天井Ｃの上方に位置して、開口幅方向に間隔を設けて左右のブラケット１が持ち出し状に対向して設けてある。左右のブラケット１間には、巻取シャフト２が支持されており、巻取シャフト２には、ガイドレールＧによって建物開口部上方のシャッターケース内に案内されたシャッターカーテン３が巻装される。
【００１６】
ブラケット１は、上縁１０、下縁１１、基端縁１２、先端縁１３を備えた方形の板体から形成されており、基端縁１２には基端片１２０が折曲形成されており、基端片１２０を壁体Ｗに当接させてボルトＢで固定することで、上記板体が壁体Ｗから垂直に延びている。本明細書において、ある要素が壁体Ｗに近い部位と、壁体Ｗから遠い部位を備えている場合に、壁体Ｗに近い側を第１側、壁体Ｗから遠い側を第２側という。
【００１７】
ブラケット１の下縁１１には下片１１０が折曲形成されており、左右のブラケット１間において、下片１１０の長さ方向中央部位間には、取付部材４の長さ方向の両端部位がそれぞれ固定されている。取付部材４は、上面４０、下面４１、第１側の第１垂直面４２、第２側の第２垂直面４３から断面視正方形状を有する方形パイプである（図９等参照）。
【００１８】
図１に示すように、取付部材４には開口幅方向に延びる長尺状の支持部材１４が設けてあり、建物開口部上方には天井Ｃに近接してまぐさ１５、１６が離間対向して設けてあり、その間をシャッターカーテン３が通るようになっている。支持部材１４には、まぐさ１５の上方に位置して、スムーサ１７、エマーゼンシースイッチ１８が設けてある。
【００１９】
左右のブラケット１の上縁１０と基端縁１２とで形成された角部（すなわちブラケット１の第１側の上方部位）間には、上側ケース止め材５の長さ方向両端部がそれぞれ固定されている。取付部材４の第２側部位である第２垂直面４３には、長さ方向に亘って下側ケース止め材６が固定されている。
【００２０】
シャッターケースは複数枚の湾曲状のケース板（いわゆる丸ケース）７を開口幅方向に連設してなり、各ケース板７の上端、下端をそれぞれ上側ケース止め材５、下側ケース止め材６に取り付けることで、ケース板７の内側面と壁体Ｗとの間に巻取シャフト２に巻き取られたシャッターカーテン３の収容空間が形成される。
【００２１】
ケース板７は、上下端部を近づける方向に弾性変形させることで、上側係止部、下側係止部を、それぞれ上側被係止部、下側被係止部に係止させ、弾性変形されたケース板が拡開する（上下端部が離隔する方向）弾性力によって係止状態が保持される。シャッターケースを構成するケース板７の枚数は、開口幅寸法や各ケース板の幅寸法によって変わり得るものであり限定されない。図示の態様では、各ケース板７は端部が重なるように取り付けられているが、重なりの態様（隣接するケース板のどちらが外側、内側に位置するか等）は図示の態様に限定されず、また、隣接するケース板の端縁同士を当接させるようにして、重なりを設けないものでもよい。
【００２２】
本実施形態では、ケース板７の下側係止部を下側ケース止め材６に係止させた後に、追加下側ケース止め要素８を下側ケース止め材６に設けることで、ケース板の上側の係止状態が外れた場合にケース板の落下を防止するようにしている。図示の例では、追加下側ケース止め要素８は螺子９によって下側ケース止め材６に固定されている。すなわち、下側ケース止め材６と追加下側ケース止め要素８とから、下側被係止部が形成されている。
【００２３】
図６等に示すように、ケース板（丸ケース）７は、断面視ないし側面視において、弧状部７０と、弧状部７０の上端から第１側（壁体Ｗ）に向かって上向き傾斜状に延びる上側傾斜部７１と、弧状部７０の下端から第１側（壁体Ｗ）に向かって下向き傾斜状に延びる下側傾斜部７２と、上側傾斜部７１の先端に上側に向かって折り返された上側折曲辺７３と、下側傾斜部７２の先端に下端に向かって折り返された下側折曲辺７４と、からなる。本実施形態では、上側傾斜部７１の先端部位７１０と上側折曲辺７３とから上側係止部が形成されており、下側傾斜部７２の先端部位７２０と下側折曲辺７４から下側係止部が形成されている。本実施形態では、上側傾斜部７１、下側傾斜部７２は、断面視直線状に延びる平面である。本実施形態に係るケース板７は重量シャッターのケース板であって、大きさにもよるが、一般的に５〜２０ｋｇの鋼板から形成されている。
【００２４】
図２に示すように、上側ケース止め材５は、開口幅方向に延びる長尺材であって、断面視ないし側面視において、壁体Ｗに沿って延びる垂直辺５０と、垂直辺５０の下端から第２側へ向かって水平状に延びる下辺５１と、垂直辺５０の上端から第２側へ向かって水平状に延びる上辺５２と、上辺５２の先端から垂下する上側垂直辺５３と、から形成されている（図６参照）。下辺５１の突出寸法（第１側から第２側へ向かう）は、上辺５２の突出寸法よりも大きい寸法を有している。上側垂直辺５３の下端と下辺５１の上面との間に、ケース板７の上側係止部を受け入れる開口が形成されており、上側ケース止め材５の上側垂直辺５３が、ケース板７の上側係止部が係止する被係止部となっている。
【００２５】
図６を参照しつつ、ケース板７の上側係止部（上側折曲辺７３＋上側傾斜部７１の先端部位７１０）と上側ケース止め材５との係止について説明する。上側折曲辺７３を、上側ケース止め材５の上側垂直辺５３の下端と下辺５１との間の開口から差し入れ、上側ケース止め材５の上側垂直辺５３に係止させる。係止状態では、上側垂直辺５３の下端がケース板７の上側傾斜部７１の先端部位７１０の上面に当接している。上側ケース止め材の形状・構成、上側係止部の形状・構成は図示の態様に限定されるものではない。
【００２６】
図２に示すように、下側ケース止め材６は、開口幅方向に延びる長尺材であって、断面視ないし側面視において、水平状の底辺６０と、底辺６０の第１側端部から垂直状に立ち上がる第１垂直辺６１と、底辺６０の第２側端部から垂直状に立ち上がる第２垂直辺６２と、第１垂直辺６１の上端から第２側に向かって水平状に延びる短尺の上側水平辺６３と、からなる（図９参照）。図示の態様では、第２垂直辺６２は、第１垂直辺６１に対して低背であり、第２垂直辺６２の高さ寸法は、第１垂直辺６１の高さ寸法よりも小さい。上側水平辺６３の延出寸法は、底辺６０の幅寸法よりも小さい。上側水平辺６３の先端と第２垂直辺６２の先端との間にケース板７の下側係止部を受け入れる開口が形成されており、当該開口から下側ケース止め材６の内部空間にケース板７の下側係止部が受け入れられる。下側ケース止め材６は、第１垂直辺６１を取付部材４の第２垂直面４３に固定（例えば溶接）することで取り付けられる。
【００２７】
図５、図６を参照しつつ、ケース板７の下側係止部（下側折曲辺７４と下側傾斜部７２の先端部位７２０）と下側ケース止め材６との初期の係止について説明する。下側傾斜部７２の先端部位７２０及び下側折曲辺７４を、下側ケース止め材６の上側水平辺６３と第２垂直辺６２の間の開口から差し入れ、下側係止部の下側折曲辺７４の先端を下側ケース止め材６の底辺６０の第２側端部、すなわち、底辺６０と第２垂直辺６２との角部に当接係止させる。この状態を、ケース板７の下側係止部のプレ係止位置とする。以下に述べるように、追加下側ケース止め要素８を下側ケース止め材６に取り付けることで、ケース板７の下側係止部はプレ係止位置から第１の係止位置となる。
【００２８】
追加下側ケース止め要素８は、開口幅方向に延びる長尺材であって、本実施形態では、その長さ寸法は１枚のケース板７の幅寸法よりも短く、少なくとも１つのケース板７に対して１つの追加下側ケース止め要素８が取り付けられる。図３に示すように、追加下側ケース止め要素８は、水平状の底辺８０と、底辺８０の第２側端部から垂直状に立ち上がる垂直辺８１と、垂直辺８１の高さ方向中間部位から第１側に向かって水平状に延びる中間水平辺８２と、からなる。
【００２９】
図３、図４に示すように、本実施形態では、水平状の底辺と垂直状の立ち上がり辺とから断面視Ｌ形状の金属製の長尺部材において、立ち上がり辺を長さ方向の所定部位において底辺と対向するように９０度折り曲げることで中間水平辺を形成しており、立ち上がり辺の残りの部分から垂直辺が形成されている。すなわち、垂直辺８１は、低背部８１１と高背部８１０とからなり、低背部８１１の上端から中間水平辺８２が延びている。図示の態様では、長さ方向の両側の高背部８１０の間に低背部８１１及び中間水平辺８２が形成されている（図４参照）。
【００３０】
追加下側ケース止め要素８の底辺８０の幅寸法は、下側ケース止め材６の底辺６０の幅寸法よりも小さく、追加下側ケース止め要素８の中間水平辺８２までの高さ寸法（低背部８１１の高さ寸法）は、下側ケース止め材６の第２垂直辺６２の高さ寸法よりも僅かに大きく、追加下側ケース止め要素８の垂直辺８１の高さ寸法（高背部８１０の高さ寸法）は下側ケース止め材６の第１垂直辺６１の高さ寸法よりも大きい。追加下側ケース止め要素８の中間水平辺８２の突出寸法は、下側ケース止め材６の底辺６０の幅寸法よりも小さく、追加下側ケース止め要素８の底辺８０の幅寸法よりも大きい（中間辺８２の突出寸法と底辺８０の幅寸法の相対的な大小関係は任意である。）。追加下側ケース止め要素８の中間水平辺８２の先端の位置は、下側ケース止め材６の上側水平辺６３の先端を通る垂直面に近接するまで延びている（上側水平辺６３の先端に対して、中間水平辺８２の先端が僅かに第２側に位置している）。なお、下側ケース止め材６の第１垂直辺６１の高さ寸法と追加下側ケース止め要素８の垂直辺８１の高さ寸法は略同じでもよい。例えば、下側ケース止め材６の上側水平辺６３の上面と追加下側ケース止め要素８の垂直辺８１の上端が同じ高さに位置していてもよい（この場合、垂直辺８１の上端は、上側水平辺６３の厚さ分だけ上側水平辺６３の下面よりも高い）。
【００３１】
追加下側ケース止め要素８は、ケース板７を上側ケース止め材５及び下側ケース止め材６に係止させた状態（図５、図６）において、下側ケース止め材６に固定される。追加下側ケース止め要素８は、垂直辺８１の下方部位（高背部８１０の下方部位及び低背部８１１）を下側ケース止め材６の第２垂直辺６２の外面に当接させ、底辺８０を下側ケース止め材６の底辺６０の下面に当接させた状態で、螺子９によって、垂直辺８１の下方部位と下側ケース止め材６の第２垂直辺６２を連結する。図示の態様では、１枚のケース板７に対して１本の追加下側ケース止め要素８が長さ方向に間隔を存して３ヶ所で螺子９によって固定されている（図２参照）。
【００３２】
この時、追加下側ケース止め要素８の中間水平辺８２の先端が、下側ケース止め材６にプレ係止位置にあるケース板７の下側折曲辺７４の傾斜面に当接して、第１側へ押し込むことで、ケース板７の下側係止部はプレ係止位置から第１の係止位置（図１、図７、図９）へ移動する。ケース板７の上側係止部が上側ケース止め材５に係止し、ケース板７の下端係止部（先端部位７２０及び下側折曲辺７４）が下側被係止部（下側ケース止め材６及び追加下側ケース止め要素８）に第１の係止位置で係止した状態が、通常の取付状態となる（図１）。
【００３３】
第１の係止位置において、下側係止部は第１の姿勢にあり、先端部位７２０及び下側折曲辺７４は傾斜姿勢にある。ここで、先端部位７２０において、下側折曲辺７４に近い側を第１部位７２０Ａ、下側折曲辺７４から遠い側を第２部位７２０Ｂとし、下側折曲辺７４において、先端部位７２０に近い側を第１部位７４Ａ、先端部位７２０から遠い側を第２部位７４Ｂとする。また、下側係止部が下側被係止部に係止された状態で言うと、第１部位７２０Ａが第１側、第２部位７２０Ｂが第２側に位置し、第１部位７４Ａが第１側、第２部位７４Ｂが第２側に位置する。なお、これらの第１部位、第２部位は２つの部位の相対的な位置関係を規定するものである。下側係止部が第１の姿勢にある時に、先端部位７２０は、先端（第２側から第１側）に向かって下向きの傾斜姿勢にあり、第２部位７２０Ｂが上側かつ第２側に位置し、第１部位７２０Ａが下側かつ第１側に位置する。下側折曲辺７４は、先端（第１側から第２側）に向かって下向きの傾斜姿勢にあり、第１部位７４Ａが上側かつ第１側に位置し、第２部位７４Ｂが下側かつ第２側に位置する。
【００３４】
図９に示すように、第１の係止位置では、ケース板７の下側係止部において、下側折曲辺７４の先端が下側ケース止め材６の底辺６０の上面に当接しており、追加下側ケース止め要素８の中間水平辺８２の先端が、傾斜姿勢にある下側折曲辺７４の上方部位（先端部位７２０に近い第１部位７４Ａ）に当接しており、傾斜姿勢にある先端部位７２０の第２部位７２０Ｂの下面に追加下側ケース止め要素８の垂直辺８１（高背部８１０）の上端が当接している。このように図示の態様では、ケース板７の下側係止部（先端部位７２０、下側折曲辺７４）は、下側被係止部（下側ケース止め材６、追加下側ケース止め要素８）に３点で係止している。先端部位７２０の上面と下側ケース止め材６の上側水平辺６３とは離間している。なお、追加下側ケース止め要素８の垂直辺８１（高背部８１０）の高さが相対的に低い場合には、第１の係止位置において、第１の傾斜姿勢にある先端部位７２０の下面と追加下側ケース止め要素８の垂直辺８１（高背部８１０）の上端が離間していてもよい（後述するように、少なくとも第２の係止位置では、第２の傾斜姿勢にある先端部位７２０の下面と追加下側ケース止め要素８の垂直辺８１の上端が当接する）。
【００３５】
本実施形態は、ケース板７の上側の係止状態が外れた場合にケース板７の脱落を防止する手段を提供するものであり、この手段について、図７〜図１０を参照しつつ説明する。
【００３６】
図７において、ケース板７の上側係止部は上側ケース止め材５に係止しており、下側係止部は下側被係止部（下側ケース止め材６、追加下側ケース止め要素８）に第１の係止位置で係止している。図９に示すように、第１の係止位置では、下側折曲辺７４の先端が下側ケース止め材６の底辺６０の上面に当接しており、追加下側ケース止め要素８の中間水平辺８２の先端が、傾斜姿勢にある下側折曲辺７４の上方部位（先端部位７２０に近い位置）に当接しており、傾斜姿勢にある先端部位７２０の第２部位７２０Ｂの下面に追加下側ケース止め要素８の垂直辺８１（高背部８１０）の上端が当接している。先端部位７２０の第１部位７２０Ａの上面と下側ケース止め材６の上側水平辺６３とは離間している。
【００３７】
図７の取付状態において、振動等によって、ケース板７の上側折曲辺７３が上側ケース止め材の上側垂直辺５３から外れると、係止状態で弾性変形されていたケース板７は拡開するように弾性復帰し、かつ、前方（上側ケース止め材５から離間する方向、すなわち、第２側）かつ下方に向かって自重で回転する。
【００３８】
この時、下側係止部の先端部位７２０の第２部位７２０Ｂの下面と追加下側ケース止め要素８の垂直辺８１の上端とが接触しながら、下側係止部の先端部位７２０は傾斜勾配が小さくなるように移動し、移動に伴って、下側折曲辺７４の先端は下側ケース止め材６の底辺６０の上面から離間し、下側係止部の先端部位７２０の第１部位７２０Ａの上面が、上側水平辺６３の先端に下方から当接し、追加下側ケース止め要素８の中間水平辺８２の先端は、傾斜姿勢の下側折曲辺７４の上側の第１部位７４Ａに接触した状態から相対的に移動して下側の第２部位７４Ｂに接触する（図８、図１０）。
【００３９】
図８、図１０に示す、下側被係止部（下側ケース止め材６、追加下側ケース止め要素８）に対するケース板７の下側係止部の係止位置を第２の係止位置とする。第２の係止位置において、傾斜姿勢にある下側折曲辺７４の第２部位７４Ｂの傾斜面に追加下側ケース止め要素８の中間水平辺８２の先端が当接しており（当接点Ｐ１）、傾斜姿勢にある先端部位７２０の第１部位７２０Ａの上面に下側ケース止め材６の上側水平辺６３の先端が当接しており（当接点Ｐ２）、傾斜姿勢にある先端部位７２０の第２部位７２０Ｂの下面に追加下側ケース止め要素８の垂直辺８１（高背部８１０）の上端が当接している（当接点Ｐ３）。すなわち、第２の係止位置において、下側係止部は下側被係止部に対して３点で当接している。第２の係止位置において、下側係止部（先端部位７２０、下側折曲辺７４）は第２の姿勢にある。水平面を０度とした時の下側係止部の第２の姿勢における傾斜角度（図１０参照）は、水平に対する第１の姿勢の傾斜角度（図９参照）よりも小さい。
【００４０】
ケース板７（丸ケース）の上端の係止状態が外れた時の当該丸ケースの挙動に応じて下側係止部は第１の係止位置から第２の係止位置へ移動するが、丸ケースの挙動には、上下の係止状態からの弾性復帰による拡開（丸ケースの下端を支点として丸ケースの上端が前方へ移動するように作用する）、自重による前方かつ下方への回転、自重によるさらなる拡開（剛性・弾性力と自重との関係による）が含まれ得る。剛性と自重との関係からケース板７は、図８の状態からさらに開くように変形し得るが、ケース板７の重量が第２の係止位置にある下側係止部と下側被係止部に作用しても、下側係止部の先端部位７２０の第１部位７２０Ａの上面が上側水平辺６３の下面に当接点Ｐ２で当接し、下側係止部の先端部位７２０の第２部位７２０Ｂの下面が垂直辺８１の上端に当接点Ｐ３で当接することで、下側係止部の第２の姿勢は維持され、ケース板７の下側傾斜部７２の先端側の上方への回転（上方への抜け）が規制される。また、下側係止部の下側折曲辺７４の傾斜面に中間水平辺８２の先端が当接点Ｐ１で当接することで、第２の係止位置にある下側係止部の第２側（抜け出す方向）への移動が規制される。
【００４１】
このように、ケース板７の上側の係止状態が外れた時には、ケース板７の挙動に応じて下側係止部が第１の係止位置から第２の係止位置に移動し、下側係止部の先端部位７２０の第１部位７２０Ａの上面が上側水平辺６３の下面に当接点Ｐ２で当接し、下側係止部の先端部位７２０の第２部位７２０Ｂの下面が垂直辺８１の上端に当接点Ｐ３で当接することで、下側係止部の第２の傾斜姿勢は維持され、ケース板７の下側傾斜部７２の先端側の上方への回転（上方への抜け）が規制され、また、下側係止部の下側折曲辺７４の第２部位７４Ｂの傾斜面に中間水平辺８２の先端が当接点Ｐ１で当接することで、第２の係止位置にある下側係止部の第２側（抜け出す方向）への移動が規制され、よって、下側係止部の第２の係止位置が維持され、上側の係止状態が外れたケース板７の落下が防止される。
【００４２】
本発明の他の実施形態について、図１１〜図１６を参照しつつ説明する。他の実施形態では、ケース板７の下側係止部を下側ケース止め材６´に係止させた後に、追加下側ケース止め要素８´を下側ケース止め材６´に設けることで、ケース板の上側の係止状態が外れた場合にケース板の落下を防止するようにしている。すなわち、下側ケース止め材６´と追加下側ケース止め要素８´とから、下側被係止部が形成されている。
【００４３】
下側ケース止め材６´は、開口幅方向に延びる長尺材であって、図１２、図１５に示すように、断面視ないし側面視において、水平状の底辺６０´と、底辺６０´の第１側端部から垂直状に立ち上がる第１垂直辺６１´と、底辺６０´の第２側端部から垂直状に立ち上がる第２垂直辺６２´と、第１垂直辺６１´の上端から第２側に向かって水平状に延びる短尺の上側水平辺６３´と、からなる。図示の態様では、第２垂直辺６２´は、第１垂直辺６１´に対して高背であり、第２垂直辺６２´の高さ寸法は、第１垂直辺６１´の高さ寸法よりも大きい。上側水平辺６３´の延出寸法は、底辺６０´の幅寸法よりも小さい。上側水平辺６３´の先端と第２垂直辺６２´の先端との間にケース板７の下側係止部を受け入れる開口が形成されており、当該開口から下側ケース止め材６´の内部空間にケース板７の下側係止部が受け入れられる。下側ケース止め材６´は、第１垂直辺６１´を取付部材４の第２垂直面４３に固定（例えば溶接）することで取り付けられる。
【００４４】
追加下側ケース止め要素８´は螺子であり、当該螺子は、下側ケース止め材６´の第２垂直辺６２´の下方部位（下側ケース止め材６´にプレ係止位置で係止している下側折曲辺７４の位置に対応する部位）に、第２側から第１側に向かって水平状に延びるように取り付けられる。追加下側ケース止め要素８´の螺子の先端の位置は、下側ケース止め材６´の上側水平辺６３´の先端を通る垂直面に近接するまで延びている（上側水平辺６３´の先端に対して、螺子の先端が僅かに第２側に位置している）。追加下側ケース止め要素８´となる螺子は、１枚のケース板７に対して、少なくとも１本、望ましくは複数本が取り付けられる。
【００４５】
ケース板７の下側係止部（下側折曲辺７４と下側傾斜部７２の先端部位７２０）と下側ケース止め材６´との初期の係止について説明する。図１２に示すように、下側傾斜部７２の先端部位７２０及び下側折曲辺７４を、下側ケース止め材６´の上側水平辺６３´と第２垂直辺６２´の間の開口から差し入れ、下側係止部の下側折曲辺７４の先端を下側ケース止め材６´の底辺６０´上に当接係止させる。下側係止部の傾斜状の先端部位７２０の第２部位７２０Ｂの下面が下側ケース止め材６´の第２垂直辺６２´の上端に当接している。追加下側ケース止め要素８´を下側ケース止め材６´に取り付けることで、ケース板７の下側係止部はプレ係止位置から第１の係止位置となる。
【００４６】
プレ係止位置において、追加下側ケース止め要素８´を下側ケース止め材６´に取り付け時に、螺子の先端がプレ係止位置にあるケース板７の下側折曲辺７４に当接して、第１側へ押し込むことで、ケース板７の下側係止部はプレ係止位置から第１の係止位置（図１１、図１３、図１５）へ移動する。ケース板７の上側係止部が上側ケース止め材５に係止し、ケース板７の下端係止部が下側被係止部に第１の係止位置で係止した状態が、通常の取付状態となる（図１１）。
【００４７】
図１５に示すように、第１の係止位置では、ケース板７の下側係止部において、下側折曲辺７４の先端が下側ケース止め材６´の底辺６０´の上面に当接しており、追加下側ケース止め要素８´を構成する螺子の先端が傾斜姿勢にある下側折曲辺７４の第１部位７４Ａの傾斜面に当接しており、傾斜姿勢にある先端部位７２０の第２部位７２０Ｂの下面に下側ケース止め材６´の第２垂直辺６２´の上端が当接している。このように図示の態様では、ケース板７の下側係止部（先端部位７２０、下側折曲辺７４）は、下側被係止部（下側ケース止め材６´、追加下側ケース止め要素８´）に３点で係止している。先端部位７２０の第１部位７２０Ａの上面と下側ケース止め材６´の上側水平辺６３´とは離間している。第１の係止位置において、傾斜姿勢にある先端部位７２０の第２部位７２０Ｂの下面と下側ケース止め材６´の第２垂直辺６２´の上端が離間していてもよい。
【００４８】
図１５の取付状態において、振動等によって、ケース板７の上側折曲辺７３が上側ケース止め材の上側垂直辺５３から外れると、係止状態で弾性変形されていたケース板７は拡開するように弾性復帰し、かつ、前方（上側ケース止め材５から離間する方向、すなわち、第２側）かつ下方に向かって自重で回転する。
【００４９】
この時、下側傾斜部７２の先端部位７２０の第２部位７２０Ｂの下面と下側ケース止め材６´の第２垂直辺６２´の上端とが接触しながら、下側係止部の先端部位７２０は傾斜勾配が小さくなるように移動し、移動に伴って、下側折曲辺７４の先端は下側ケース止め材６´の底辺６０´の上面から離間し、下側係止部の先端部位７２０の第１部位７２０Ａの上面が上側水平辺６３´の先端に下方から当接し、追加下側ケース止め要素８´の螺子の先端は、傾斜状の下側折曲辺７４の上側の第１部位７４Ａに接触した状態から相対的に移動して下側の第２部位７４Ｂに接触する（図１４、図１６）。
【００５０】
図１４、図１６に示す、下側被係止部（下側ケース止め材６´、追加下側ケース止め要素８´）に対するケース板７の下側係止部の第２の係止位置においては、傾斜姿勢にある下側係止部の下側折曲辺７４の第２部位７４Ｂの傾斜面に追加下側ケース止め要素８´の螺子の先端が当接しており（当接点Ｐ１）、傾斜姿勢にある下側係止部の先端部位７２０の第１部位７２０Ａの上面に下側ケース止め材６´の上側水平辺６３´の先端が当接しており（当接点Ｐ２）、傾斜姿勢にある下側係止部の先端部位７２０の第２部位７２０Ｂの下面に下側ケース止め材６´の第２垂直辺６２´の上端が当接している（当接点Ｐ３）。すなわち、第２の係止位置において、下側係止部は下側被係止部に対して３点で当接している。第２の係止位置において、下側係止部（先端部位７２０、下側折曲辺７４）は第２の姿勢にある。水平面を０度とした時の下側係止部の第２の姿勢における傾斜角度（図１６参照）は、水平に対する第１の姿勢の傾斜角度（図１５参照）よりも小さい。
【００５１】
剛性と自重との関係からケース板７は、図１４の状態からさらに開くように変形し得るが、ケース板７の重量が第２の係止位置にある下側係止部と下側被係止部に作用しても、下側係止部の先端部位７２０の第１部位７２０Ａの上面が上側水平辺６３´の先端の下面に当接点Ｐ２で当接し、下側係止部の先端部位７２０の第２部位７２０Ｂの下面が第２垂直辺６２´の上端に当接点Ｐ３で当接することで、下側係止部の第２の傾斜姿勢は維持され、ケース板７の下側傾斜部７２の先端側の上方への回転（上方への抜け）が規制される。また、下側係止部の下側折曲辺７４の傾斜面に追加下側ケース止め要素８´の螺子の先端が当接点Ｐ１で当接することで、第２の係止位置にある下側係止部の第２側（抜け出す方向）への移動が規制される。
【００５２】
このように、ケース板７の上側の係止状態が外れた時には、ケース板７の挙動に応じて下側係止部が第１の係止位置から第２の係止位置に移動し、下側係止部の先端部位７２０の第１部位７２０Ａの上面が上側水平辺６３´の先端の下面に当接点Ｐ２で当接し、下側係止部の先端部位７２０の第２部位７２０Ｂの下面が第２垂直辺６２´の上端に当接点Ｐ３で当接することで、下側係止部の第２の傾斜姿勢は維持され、ケース板７の下側傾斜部７２の先端側の上方への回転（上方への抜け）が規制され、また、下側係止部の下側折曲辺７４の傾斜面に追加下側ケース止め要素８´の螺子の先端が当接点Ｐ１で当接することで、第２の係止位置にある下側係止部の第２側（抜け出す方向）への移動が規制され、よって、下側係止部の第２の係止位置が維持され、上側の係止状態が外れたケース板７の落下が防止される。
【符号の説明】
【００５３】
５  上側ケース止め材
６  下側ケース止め材（第１部材）
６０  底辺（底部）
６１  第１垂直辺
６２  第２垂直辺（立ち上がり辺）
６３  上側水平辺（上側被係止部）
７  ケース板（丸ケース）
７２  下側傾斜部
７２０  先端部位
７２０Ａ  第１部位
７２０Ｂ  第２部位
７４  下側折曲辺
７４Ａ  第１部位
７４Ｂ  第２部位
８  追加下側ケース止め要素（第２部材）
８１  垂直辺（立ち上がり辺）
８２  中間水平辺（突出要素）
８´  追加下側ケース止め要素（第２部材、突出要素）
Ｐ１  下側折曲辺の第２部位と下側被当接部の当接点
Ｐ２  先端部位の第１部位の上面と上側被係止部の当接点
Ｐ３  先端部位の第２部位の下面と上側被当接部の当接点
【図１】
2018053615.tif 000003
【図２】
2018053615.tif 000004
【図３】
2018053615.tif 000005
【図４】
2018053615.tif 000006
【図５】
2018053615.tif 000007
【図６】
2018053615.tif 000008
【図７】
2018053615.tif 000009
【図８】
2018053615.tif 000010
【図９】
2018053615.tif 000011
【図１０】
2018053615.tif 000012
【図１１】
2018053615.tif 000013
【図１２】
2018053615.tif 000014
【図１３】
2018053615.tif 000015
【図１４】
2018053615.tif 000016
【図１５】
2018053615.tif 000017
【図１６】
2018053615.tif 000018